(57)【要約】【課題】表示部を有する表示装置を収納した場合に、表示部の割れや破損を軽減できる表示装置用ケースを提供する。【解決手段】表示装置の一面側に装着される第１ケースと、他面側に装着される第２ケースを備えた表示装置用ケースであって、第１ケースは、第１窓部と第１緩衝部を有する弾性部材からなる第１本体部と、表示装置を支持する第１配置部と、第１本体部の外面に密着固定される第１表示保護部と、第１配置部の周縁に設けられる枠状の第１シール部を有し、第２ケースは、第２窓部と第２緩衝部を有する弾性部材からなる第２本体部と、表示装置を支持する第２配置部と、第１本体部の外面に密着固定される第１表示保護部と、第１配置部の周縁に設けられる枠状の第１シール部を有し、第１ケースと第２ケースを固定具により圧着して固定した場合に、第１表示保護部と第２表示保護部との間に密閉された密閉空間部を形成することを特徴とする。【選択図】図１
2012194505.tif 000002
【特許請求の範囲】
【請求項１】
情報を表示する表示部を有する表示装置の一面側に装着される第１ケースと、前記表示装置の他面側に装着される第２ケースを備えた表示装置用ケースであって、
前記第１ケースは、
第１窓部と外側に突出する第１緩衝部を有する弾性部材からなる第１本体部と、
前記第１本体部の内側に設けられ、前記第１窓部と前記表示部が対応するように前記表示装置の外縁を支持する第１配置部と、
少なくとも前記第１窓部の上方を被覆し、前記第１本体部の前記外面に密着するようにして固定される第１表示保護部と、
前記第１配置部の周縁に設けられる枠状の第１シール部を有し、
前記第２ケースは、
第２窓部と外側に突出する第２緩衝部を有する弾性部材からなる第２本体部と、
前記第２本体部の内側に設けられ、前記第２窓部と前記表示部が対応するように前記表示装置の外縁を支持する第２配置部と、
少なくとも前記第２窓部の上方を被覆し、前記第２本体部の前記外面に密着するようにして固定される第２表示保護部と、
前記第２配置部の周縁に設けられる枠状の第２シール部を有し、
前記第１ケースと前記第２ケースを固定具により圧着して固定した場合に、少なくとも前記第１シール部と前記第２シール部のいずれかが変形して密着することにより、前記第１表示保護部と前記第２表示保護部との間に密閉された密閉空間部を形成することを特徴とする表示装置用ケース。
【請求項２】
前記表示装置用ケースは平面視で略矩形状であって、
前記第１ケースは、
前記第１ケース本体部の角部にそれぞれ前記第１緩衝部を有し、
第１方向において、それぞれの前記第１緩衝部は、前記第１窓部の前記第１方向の第１中心線に対して等間隔に配置されると共に、
前記第２方向において対向する前記第１緩衝部は、前記第２窓部の前記第２方向の第２中心線に対して等間隔に配置され、
前記第２ケースは、
前記第２ケース本体部の角部にそれぞれ前記第２緩衝部を有し、
第１方向において、それぞれの前記第２緩衝部は、前記第２窓部の前記第１方向の第１中心線に対して等間隔に配置されると共に、
前記第２方向において対向する前記第２緩衝部は、前記第２窓部の前記第２方向の第２中心線に対して等間隔に配置されことを特徴とする請求項１に記載の表示装置用ケース。
【請求項３】
前記第１ケースと前記第２ケースを固定具により固定した場合に、前記第１方向及び前記第２方向に垂直な第３方向において、前記第１配置部と前記第１緩衝部との間隔と、前記第２配置部と前記第２緩衝部との間隔が同じであることを特徴とする請求項２に記載の表示装置用ケース。
【請求項４】
前記表示装置用ケースは略矩形状であって、
前記表示装置を前記表示装置用ケースに収納して、前記第１ケースと前記第２ケースを固定具により圧着して固定した場合に、
前記第１ケース本体部が前記角部に有する４つの前記第１緩衝部と前記第２ケース本体部が前記角部に有する４つの前記第２緩衝部がそれぞれ対向し、
前記表示装置は前記第１配置部と前記第２配置部との間に挟持されて、前記第１表示保護部と前記第１窓部と前記第１配置部と前記第２表示保護部と前記第２窓部と前記第２配置部との間に形成される前記密閉空間部内に保持されることを特徴とする請求項１ないし請求項３のいずれかに記載の表示装置用ケース。
【請求項５】
前記第１ケースは、前記表示装置の前記表示面側に装着されて、
前記第１表示保護部は透明な樹脂材料からなることを特徴とする請求項１ないし４のいずれかに記載の表示装置用ケース。
【発明の詳細な説明】
【技術分野】
【０００１】
本発明は、表示部を有する表示装置を収納する表示装置用ケースに関する。
【背景技術】
【０００２】
従来、電子機器を外部からの衝撃から保護するための収納ケースが提案されている。例えば、特許文献１の収納ケースは、ペン入力タイプの携帯用コンピュータ等を収納するためのケースであり、外部の衝撃から携帯用コンピュータを保護するために、各角部に緩衝部材が取り付けられている。
【０００３】
そして、携帯用コンピュータ本体の表示パネルや操作部の位置する箇所には窓部が設けられており、窓部から露出した表示パネルや操作部を保護する保護カバーが開閉可能に取り付けられている。
【先行技術文献】
【特許文献】
【０００４】
【特許文献１】特開平７−１６０３６６号公報
【発明の概要】
【発明が解決しようとする課題】
【０００５】
ところで、上述のような携帯用コンピュータの表示パネルとして、例えば、平板状の液晶や電気泳動式の表示パネルが用いられる。このような表示パネルは、局所的な負荷やたわみに弱く割れや破損が生じやすい傾向がある。上記従来技術の収納ケースは、表示パネルの割れや破損を軽減することが難しかった。
【０００６】
本発明は、表示部を有する表示装置を収納した場合に、表示部の割れや破損を軽減できる表示装置用ケースを提供することを目的とする。
【課題を解決するための手段】
【０００７】
上記目的を達成するために、第１発明の表示装置用ケースは、情報を表示する表示部を有する表示装置の一面側に装着される第１ケースと、前記表示装置の他面側に装着される第２ケースを備えた表示装置用ケースであって、前記第１ケースは、第１窓部と外側に突出する第１緩衝部を有する弾性部材からなる第１本体部と、前記第１本体部の内側に設けられ、前記第１窓部と前記表示部が対応するように前記表示装置の外縁を支持する第１配置部と、少なくとも前記第１窓部の上方を被覆し、前記第１本体部の前記外面に密着するようにして固定される第１表示保護部と、前記第１配置部の周縁に設けられる枠状の第１シール部を有し、前記第２ケースは、第２窓部と外側に突出する第２緩衝部を有する弾性部材からなる第２本体部と、前記第２本体部の内側に設けられ、前記第２窓部と前記表示部が対応するように前記表示装置の外縁を支持する第２配置部と、少なくとも前記第２窓部の上方を被覆し、前記第２本体部の前記外面に密着するようにして固定される第２表示保護部と、前記第２配置部の周縁に設けられる枠状の第２シール部を有し、前記第１ケースと前記第２ケースを固定具により圧着して固定した場合に、少なくとも前記第１シール部と前記第２シール部のいずれかが変形して密着することにより、前記第１表示保護部と前記第２表示保護部との間に密閉された密閉空間部を形成することを特徴とする。
【０００８】
第２発明の表示装置用ケースは、上記第１発明の構成に加えて、前記表示装置用ケースは平面視で略矩形状であって、前記第１ケースは、前記第１ケース本体部の角部にそれぞれ前記第１緩衝部を有し、第１方向において、それぞれの前記第１緩衝部は、前記第１窓部の前記第１方向の第１中心線に対して等間隔に配置されると共に、前記第２方向において対向する前記第１緩衝部は、前記第２窓部の前記第２方向の第２中心線に対して等間隔に配置され、前記第２ケースは、前記第２ケース本体部の角部にそれぞれ前記第２緩衝部を有し、第１方向において、それぞれの前記第２緩衝部は、前記第２窓部の前記第１方向の第１中心線に対して等間隔に配置されると共に、前記第２方向において対向する前記第２緩衝部は、前記第２窓部の前記第２方向の第２中心線に対して等間隔に配置されことを特徴とする。
【０００９】
第３発明の表示装置用ケースは、上記第２発明に加えて、前記第１ケースと前記第２ケースを固定具により固定した場合に、前記第１方向及び前記第２方向に垂直な第３方向において、前記第１配置部と前記第１緩衝部との間隔と、前記第２配置部と前記第２緩衝部との間隔が同じであることを特徴とする。
【００１０】
第４発明の表示装置用ケースは、上記第１発明ないし第３発明のいずれかにおいて、前記表示装置用ケースは略矩形状であって、前記表示装置を前記表示装置用ケースに収納して、前記第１ケースと前記第２ケースを固定具により圧着して固定した場合に、前記第１ケース本体部が前記角部に有する４つの前記第１緩衝部と前記第２ケース本体部が前記角部に有する４つの前記第２緩衝部がそれぞれ対向し、前記表示装置は前記第１配置部と前記第２配置部との間に挟持されて、前記第１表示保護部と前記第１窓部と前記第１配置部と前記第２表示保護部と前記第２窓部と前記第２配置部との間に形成される前記密閉空間部内に保持されることを特徴とする。
【００１１】
第５発明の表示装置用ケースは、上記第１発明ないし第４発明のいずれかにおいて、前記第１ケースは、前記表示装置の前記表示面側に装着されて、前記第１表示保護部は透明な樹脂材料からなることを特徴とする。
【発明の効果】
【００１２】
第１発明の表示装置用ケースによれば、第１ケースは、第１窓部と外側に突出する第１緩衝部を有する弾性部材からなる第１本体部を有し、第２ケースは、第２窓部と外側に突出する第２緩衝部を有する弾性部材からなる第２本体部を有し、第１ケースと第２ケースを固定具により圧着して固定した場合に、少なくとも第１シール部と第２シール部のいずれかが変形して密着することにより、第１表示保護部と第２表示保護部との間に密閉された密閉空間部を形成する。そのため、表示装置用ケースに外部から負荷がかかると、突出した緩衝部が変形し、さらに負荷がかかると本体部全体が弾性変形する。また、密閉空間部の空気層により表示部を保護することができる。そのため、表示装置がたわむのを防止して、表示装置の表示部の割れや破損を軽減することができる。
【００１３】
第２発明の表示装置用ケースによれば、第１発明の効果に加え、第１ケースの第１方向において対向する第１緩衝部は、第１窓部の第１方向の第１中心線との間隔が等しく配置されると共に、第２方向において対向する第１緩衝部は、前記第２窓部の前記第２方向の第２中心線に対して等間隔で配置される。また、第２ケースの第１方向において対向する第２緩衝部は、第２窓部の第１方向の第１中心線に対して等間隔で配置されると共に、第２方向において対向する第２緩衝部はそれぞれが、第２窓部の第２方向の第２中心線に対して等間隔に配置される。このように、窓部に対して対向する緩衝部を等間隔に配置することで、表示装置がたわむのを軽減して、さらに表示部を確実に保護することができる。
【００１４】
第３発明の表示装置用ケースによれば、第２発明の効果に加え、第１ケースと第２ケースを固定具により固定した場合に、第１方向及び第２方向に垂直な第３方向において、第１配置部と第１緩衝部との間隔と、第２配置部と第２緩衝部との間隔が同じである。このように、配置部から緩衝部を等間隔に配置することで、表示装置がたわむのを軽減して、さらに表示部を確実に保護することができる。
【００１５】
第４発明の表示装置用ケースによれば、第１発明ないし第３発明のいずれかに加え、表示装置を表示装置用ケースに収納して、第１ケースと第２ケースを固定具により圧着して固定した場合に、第１ケース本体部が角部に有する４つの第１緩衝部と第２ケース本体部が角部に有する４つの第２緩衝部がそれぞれ対向し、表示装置は第１配置部と第２配置部との間に挟持されて、第１表示保護部と第１窓部と第１配置部と第２表示保護部と第２窓部と第２配置部との間に形成される密閉空間部内に保持される。そのため、表示装置は確実に密閉空間部内に支持されて、表示装置がたわむのを軽減して、さらに表示部を確実に保護することができる。
【００１６】
第５発明の表示装置用ケースによれば、第１発明ないし第４発明のいずれかに加え、第１ケースは、表示装置の表示面側に装着されて、第１表示保護部は透明な樹脂材料からなる。仮に、表示部の位置が表示装置のいずれかの方向に偏っていたりしても、ユーザは内部が視認できるので、窓部の内側に表示部が配置されるように、表示装置用ケース内に表示装置を上下方向正しく配置できる。これにより、確実に表示部を保護することができる。
【図面の簡単な説明】
【００１７】
【図１】本発明の実施形態の表示装置用ケースの外観を示す斜視図である。
【図２】表示装置用ケースに表示装置を載置した状態を示す全体斜視図である。
【図３】開いた状態の表示装置用ケースを外側から示す斜視図である。
【図４】開いた状態の表示装置用ケースの上面図である。
【図５】表示装置を収納した状態の表示装置用ケースの上面図である。
【図６】図５の表示装置用ケースを６−６線で切断した断面図である。
【図７】図６の一点鎖線７で囲まれた部分を拡大して示す断面図である。
【図８】図５の表示装置用ケースを８−８線で切断した断面図である。
【図９】表示装置用ケースの使用状態を説明する模式図である。
【発明を実施するための形態】
【００１８】
＜表示装置用ケースの概略構成について＞
以下に、本発明の表示装置用ケースの好ましい実施形態について、図１及び図２を参照して説明する。本実施形態の表示装置用ケース１は平面視で略長方形状の箱状に形成されている。表示装置用ケース１は表示部５５０を有する表示装置５００を収納するのに用いられる。
【００１９】
表示装置用ケース１は、上ケース１０と下ケース２０とを有している。下ケース２０は表示装置５００の底面を載置し、上ケース１０は表示装置５００の上側から表示装置５００挟むようにして装着される。
【００２０】
上ケース１０の側面１１と下ケース２０の側面２１は蝶番５０を介して連結されている。また、上ケース１０と下ケース２０が連結された反対側において、上ケース１０の側面１２の左右には中央に横長の開口部を有する固定具４０がそれぞれ設けられ、下ケース２０の側面２２には２つの固定具４０の開口部が係着する２つの留め具４１が設けられる。
【００２１】
上ケース１０と下ケース２０は蝶番５０を介して開閉自在であり、表示装置用ケース１に表示装置５００を収納する場合は、固定具４０を留め具４１に係着することで、上ケース１０と下ケース２０を蝶番５０を軸にして固定することができる。なお、本発明において、上ケース１０が第１ケース、下ケース２０が第２ケースに相当する。
【００２２】
（上ケースについて）
上ケース１０について、図１及び図２を用いて説明する。上ケース１０は表層カバー１１０と本体部１００を有している。
【００２３】
本体部１００は平面視で略枠形状であり、窓部１３５、緩衝部１３０、配置部１４０、突部１５０が一体的に形成される。本体部１００は弾性変形可能な樹脂により形成される。好ましい樹脂の一例としては、ウレタン、ゴム等である。なお、上ケース１０の本体部１００は本発明の第１本体部に相当する。
【００２４】
窓部１３５は平面視で長方形状であり、本体部１００の略中央に形成されている。表示装置５００が表示装置用ケース１に収納されたときに、表示部５５０全体が窓部１３５の内側に収まるように、表示部５５０に対する窓部１３５の大きさは、平面視で同程度の大きさかそれ以上の大きさで設けられる。なお、窓部１３５は本発明の第１窓部に相当する。
【００２５】
緩衝部１３０は本体部１００から外方に向けて突出するように、本体部１００の角部に４つ設けられる。各緩衝部１３０は略角柱状であり、それぞれが同じ大きさ、高さで形成されている。
【００２６】
外部から表示装置用ケース１全体に衝撃、負荷が加わった場合に、まず、外方へ突出した緩衝部１３０が変形する。緩衝部１３０が変形することで、最初に表示装置５００への衝撃、負荷を緩和する。なお、緩衝部１３０は本発明の第１緩衝部に相当する。
【００２７】
ここで、上ケース１０の本体部１００の窓部１３５、緩衝部１３０を覆うように、本体部１００の外表面全体が表層カバー１１０により被覆される。本体部１００の外表面は表層カバー１１０と接着剤等で固着される。表層カバー１１０は弾性変形可能な樹脂により形成される。表層カバー１１０として好ましい樹脂は、例えばゴム、エラストラマー等の比較的柔らかい樹脂である。
【００２８】
なお、本実施形態では、上ケース１０の外表面を覆う表層カバー１１０として透明な樹脂が用いられる。これにより、ユーザは後述の窓部１３５から表示装置用ケース１に収納した表示装置１の表示部５５０を視認することができる。なお、表層カバー１１０は本発明の第１表示保護部に相当する。
【００２９】
配置部１４０は、本体部１００の内側において、窓部１３５の周辺に沿って一定幅に形成される。表示装置５００を支持したときに、配置部１４０は表示装置５００の表示部５５０がちょうど窓部１３５の内側に配置されるように設けられる。また、配置部１４０は、後述の下ケース２０の配置部２４０と協同して表示装置５００を保持する。
【００３０】
本実施形態では、表示装置５００の片側に操作部が形成されているので、配置部１４０はその幅分も考慮して配置部１４０の片側が比較的幅広に形成される。なお、配置部１４０は本発明の第１配置部１４０に相当する。
【００３１】
突部１５０は配置部１４０の外周を囲むように、本体部１００の内面から突出して形成される。上ケース１０と下ケース２０を固定具４０で固定したときに、突部１５０は後述の下ケース２０の溝部２５０に圧着されて変形する。なお、突部１５０は本発明の第１シール部に相当する。
【００３２】
（下ケースについて）
次に、下ケース２０について、図３及び図４を用いて説明する。下ケース２０の構成は、上ケース１０の突部１５０に対応して形成される溝部２５０を除いて、上ケース１０と同様であるので、適宜、説明を省略して説明する。
【００３３】
下ケース２０は表層カバー２１０と本体部２００を有している。本体部２００は窓部２３５、緩衝部２３０、配置部２４０、溝部２５０を有しており、これらが一体的に成形される。下ケース２０の構成と材質は上ケース１０と同様である。なお、下ケース２０の本体部２００は、本発明の第２本体部に相当する。
【００３４】
窓部２３５は、上ケース１０の窓部１３５と同様の構成である。窓部２３５は表示装置５００を載置したときに、表示部５５０のちょうど下側に配置される。上ケース１０と下ケース２０を蝶番５０を軸にして固定したときに、上ケースの窓部１３５と下ケースの窓部２３５の配置が重なるように形成される。
【００３５】
具体的には、下ケース２０の本体部２００における窓部２３５の配置位置は、上ケース１０の本体部１００における窓部１３５の配置位置と鏡像関係になっている。なお、窓部２３５は、本発明の第２窓部に相当する。
【００３６】
緩衝部２３０は略角柱状であり、本体部２００から外方に突出して設けられる。緩衝部２３０の構成は上ケース１０の緩衝部１３０と同様である。なお、緩衝部２３０は本発明の第２緩衝部に相当する。
【００３７】
ここで、下ケース２０の本体部２００の窓部２３５、緩衝部２３０を覆うように、本体部２００の外表面は表層カバー２１０により被覆されている。表層カバー２１０の材質は上カバー１０の表層カバー１１０と同様である。
【００３８】
本実施形態では、下ケース２０の外表面を覆う表層カバー２１０は不透明な樹脂が用いられる。前述のように、上ケース１０の表層カバー１１０を透明にし、下ケース２０の表層カバー２１０を不透明にすることで、ユーザは上ケース１０と下ケース２０を判別しやすい。なお、下ケース２０の表層カバー２１０は、本発明の第２表示保護部に相当する。
【００３９】
配置部２４０は、表示装置５００の底部を支持する。表示装置５００を配置部２４０に載置したときに、表示部５５０が窓部２３５の内側に配置されるように、窓部２３５の周辺に沿って一定幅に形成される。配置部２４０の構成は上ケース１０の配置部１４０の構成と同様である。
【００４０】
下ケース２０の配置部２４０の深さと上ケース１０の配置部１４０の深さを合わせると、表示装置５００の厚みよりも同程度か若干大きくなるように形成される。なお、配置部２４０は本発明の第２配置部に相当する。
【００４１】
溝部２５０は配置部２４０の外周を囲むように枠状に形成される。溝部２５０は上ケース１０の突部１５０に対応して形成され、上ケース１０と下ケース２０を閉じたときに、上ケース１０の突部１５０が下ケース２０の溝部２５０に嵌合される。
【００４２】
溝部２５０の深さは上ケース１０の突部１５０の高さ分よりも浅く形成される。なお、溝部２５０は本発明の第２シール部に相当する。
【００４３】
＜表示用装置ケースの詳細について＞
続いて、上ケース１０と下ケース２０を固定具により圧着したときに形成される密閉空間部３０について、図５〜図８を用いて説明する。
【００４４】
上ケース１０と下ケース２０を一体的に固定すると、密閉空間部３０は中央に横長の略長方形状に形成される（図６及び図８参照）。密閉空間部３０は上ケース１０の表層カバー１１０、窓部１３５、配置部１４０と下ケース２０の表層カバー２１０、窓部２３５、配置部２４０に囲まれて形成される密閉空間である。
【００４５】
（本体部と表層カバーのシールについて）
まず、上ケース１０の表層カバー１１０と本体部１００とのシールについて説明する。表層カバー１１０は窓部１３５を被覆して本体部１００に密着している。
【００４６】
具体的には、窓部１３５の外側周縁に沿って、突部１０２が枠状に形成されている。一方、表層カバー１１０の内側には溝部１１３が突部１０２に対応して形成されている。突部１０２の幅は、溝部１１３の幅よりも若干大きく形成されており、突部１０２が溝部１１３に圧着して嵌合される。
【００４７】
なお、窓部１３５の周縁が表層カバー１１０と密着していればよく、表層カバー１１０が本体部１００を被覆するそのほかの部分については、表層カバー１１０と本体部１００が特に密着されていなくても構わない。
【００４８】
同様に、下ケース２０の表層カバー２１０と窓部２３５との接合について説明する。表層カバー２１０は窓部２３５を被覆して本体部２００に密着している。
【００４９】
具体的には、窓部２３５の外側周縁に沿って、突部２０２が枠状に形成されている。一方、表層カバー２１０の内側には溝部２１３が突部２０２に対応して形成されている。突部２０２の幅は、溝部２１３の幅よりも若干大きく形成されており、突部２０２が溝部２１３に圧着して嵌合される。
【００５０】
なお、窓部２３５の周縁が表層カバー２１０と密着していればよく、表層カバー２１０が本体部２００を被覆するそのほかの部分については、表層カバー２１０と本体部２００が特に密着されていなくても構わない。
【００５１】
（上ケースと下ケースのシールについて）
上ケース１０と下ケース２０を固定具４０により圧着固定するときの、上ケース１０の本体部１００と下ケース２０の本体部２００のシールについて説明する。
【００５２】
前述のように、上ケース１０の内面側には突部１５０が形成されている。また、突部１５０に対応して下ケース２０の内面側には溝部２５０が形成されている。突部１５０の高さは溝部２５０の深さ分よりも高いので、上ケース１０と下ケース２０を固定具４０により圧着させたときに、突部１５０は溝部２５０の高さからはみ出た分が変形して溝部２５０に密着して嵌合される。
【００５３】
以上により、上カバー１０と下カバー２０を蝶番５０を中心として閉じて、固定具４０と留め具４１により固定すると、表示装置用ケース１の中央には上ケース１０の表層カバー１１０、窓部１３５、配置部１４０と下ケース２０の表層カバー２１０、窓部２３５、配置部２４０に囲まれた密閉空間部３０が形成される。
【００５４】
次に、表示装置用ケース１に表示装置５００を収納する場合の密閉空間部３０と表示装置５００との関係について説明する。
【００５５】
下ケース２０の配置部２４０に表示装置５００を載置して、上ケース１０を被せて固定具４０と留め具４１により固定すると、表示装置５００は上ケース１０の配置部１４０と下ケース２０の配置部２４０との間に挟持される。
【００５６】
すなわち、表示装置５００は、上ケース１０の配置部１４０、表層カバー１１０、窓部１３５と下ケース２０の配置部２４０、表層カバー２２０、窓部２３５に囲まれた密閉空間部３０内に保持される。
【００５７】
密閉空間部３０は表示装置５００により表示装置５００の上側の空間と下側の空間に２分される。表示装置５００の表示パネル５５０はこの上側の空間の空気層３０Ａと下側の空間の空気層３０Ｂとの間に配置されて、上側と下側の両側から空気層により保護され、外部からの衝撃に対してたわみにくくなる。
【００５８】
＜表示装置用カバーの作用について＞
続いて、図９を用いて、表示装置用カバー１の作用について説明する。表示装置５００を収納した表示装置用カバー１が床Ｆ上に載置されているときに、表示装置用カバー１上に表示装置用カバー１よりも大きなものが落下したような場合を例に説明する。
【００５９】
表示装置用カバー１の中央に矢印Ａ方向に負荷がかかった場合、上ケース１００の緩衝部１３０と、下ケース２０の緩衝部２３０が変形して衝撃を吸収する。緩衝部１３０、２３０はそれぞれ本体部１００，２００からそれぞれ外方に突出して形成されているので、まず、緩衝部１３０，２３０が衝撃を吸収することができる。
【００６０】
さらに、緩衝部１３０は本体部１００と一体に形成されている。表示装置用ケース１に外部から負荷が加えられた場合、本体部１００から外方に突出した緩衝部１３０のみが変形するのではなく、負荷が大きくなると本体部１００自体が圧縮されるように弾性変形する。
【００６１】
そのため、表示装置５００は上ケース１０の配置部１４０と下ケース２０の配置部２４０の間で挟持されたまま、上ケース１０の本体部１００と下ケース２０の本体部２００の変形に伴い、上下方向に表示装置５００の位置も変化する。
【００６２】
緩衝部１３０を含めた本体部１００全体が弾性変形することで、表示装置５００への負荷を軽減することができる。
【００６３】
さらに、上述したように、表示装置５００は密閉空間部３０内に保持されており、表示装置５００の上側の空気層３０Ａと下側の空気層３０Ｂにより表示装置５００が保護される。この２つの空気層３０Ａと空気層３０Ｂとの間に表示装置５００が挟持されることで、表示装置５００がたわむのをより確実に軽減することができる。
【００６４】
また、窓部１３５、２３５の大きさよりも小さい範囲の局所的な負荷が表示装置５００にかかった場合にも、密閉空間部３０により確実に表示パネル５５０を保護できる。
【００６５】
なお、本実施形態では、上ケース１０の本体部１００の緩衝部１３０に上方向から負荷が加わった場合に、ちょうど窓部１３５を被覆する表示カバー１１０と同じ高さぐらいまで本体部１００が圧縮して変形するようになっている。
【００６６】
上ケース１０の緩衝部１３０と、下ケース２０の緩衝部２３０が窓部を被覆する中央付近の表層カバー１１０、２１０と同じ表面上になるまで変形すると、表示装置用ケース１全体に負荷がかかるようになる。そのため、さらに、表示装置用ケース１内の表示装置５００がたわみにくくなる。なお、下ケース２０についても同様であるので説明を省略する。
【００６７】
＜緩衝部の配置について＞
表示装置用ケース１に表示装置５００を収納したときに、外部からの負荷によって表示装置５００がたわまないようにするために、緩衝部１３０，２３０は以下のように配置されることが好ましい。
【００６８】
図５の上ケース１０において、窓部１３５のＸ軸方向の中心線を中心線Ｃ１とする。４つの緩衝部１３０はそれぞれ中心線Ｃ１から距離Ｌ１だけ離間して形成されている。なお、本実施形態では、中心線Ｃ１と緩衝部１３０の距離は、緩衝部１３０の中心位置を基準に説明するが、緩衝部１３０の端部などを基準に考えてもよい。以下同様である。
【００６９】
Ｙ軸方向の中心線を中心線Ｃ２とする。４つの緩衝部１３０はそれぞれ中心線Ｃ２から距離Ｌ２だけ離間して形成されている。
【００７０】
一方、特に図示しないが、反対側の下ケース２０においても、同様である。具体的には、４つの緩衝部２３０が窓部２３５のＸ軸方向の中心線から同じ距離だけ離間して形成されている。また、４つの緩衝部２３０は窓部２３５のＹ軸方向の中心線から同じ距離だけ離間して形成されている。
【００７１】
ここで、表示装置５００を表示装置用ケース１に収納したときに、上ケースの窓部１３５と下ケースの窓部２３５の間にちょうど表示パネル５５０が配置される。
【００７２】
そのため、緩衝部１３０，２３０は、窓部１３５、２３５からの距離がそれぞれ同じであることが好ましい。これにより、表示パネル５５０の一部に負荷が偏らずに、全体に均一に負荷がかかることが期待できる。
【００７３】
また、表示装置用ケース１の厚み方向においては、上ケース１０と下ケース２０を蝶番５０を中心にして固定具４０により固定したときに、同じ角部に配置される上ケース１０の緩衝部１３０と下ケース２０の緩衝部２３０は次のような関係であることが好ましい。
【００７４】
図６に示すように、上ケース１０の緩衝部１３０の上面と第１配置部１４０との距離Ｌ３と、下ケース２０の緩衝部２３０の上面と第２配置部２４０との距離Ｌ３が等しいことが好ましい。
【００７５】
このように、上ケース１０の緩衝部１３０と下ケース２０の緩衝部２３０を配置部１４０、２４０から等間隔に配置することで、表示装置用ケース１の上下方向から同じように衝撃を緩和して、表示装置５００を保護することができる。
【００７６】
以上説明した実施形態では、上ケース１０は外表面全体が表層カバー１１０に覆われている。しかしながら、少なくとも窓部１３５が被覆されて本体部１００に密着されていればよく、表層カバー１１０が窓部１３５周辺だけ被覆していたり、窓部１３５を被覆する部分と上ケース１０の本体部１００を被覆する部分が別の部材で形成されていてもよい。下ケース２０も同様である。
【００７７】
また、上ケース１０の緩衝部１３０は角部に４つ設けられているが、角部でなく表示装置用ケース１の辺上に設けられていてもよく、緩衝部１３０の数も特に限定されない。下ケース２０の緩衝部２３０も同様である。
【００７８】
加えて、上ケース１０の緩衝部１３０と下ケース２０の緩衝部２３０はそれぞれ角部に設けられて、表示装置用ケース１を閉じたときに、上ケース１０の緩衝部１３０と下ケース２０の緩衝部２３０が対向しているが、上ケース１０の緩衝部１３０と下ケース２０の緩衝部２３０が対向していなくてもよく、それぞれの数が同じでなくてもよい。
【００７９】
なお、本実施形態においては、上述のように本体部とカバーの溝部が嵌合されて、本体部とカバーが密着されるが、本体部とカバーに突部や溝部を形成せずに接着剤等を塗布することにより接着して密着させてもよい。
【００８０】
本発明は、上述した実施形態に限定されるものではなく、本開示の要旨を逸脱しない範囲において種々変更を加えてもよい。
【符号の説明】
【００８１】
１    表示装置用カバー
１０    上カバー
２０    下カバー
１００，２００    本体部
１１０，２１０    表層カバー
１３５，２３５    窓部
１４０，２４０    配置部
１５０    突部
２５０    溝部
【図１】
2012194505.tif 000003
【図２】
2012194505.tif 000004
【図３】
2012194505.tif 000005
【図４】
2012194505.tif 000006
【図５】
2012194505.tif 000007
【図６】
2012194505.tif 000008
【図７】
2012194505.tif 000009
【図８】
2012194505.tif 000010
【図９】
2012194505.tif 000011